(57)【要約】【課題】ＬＥＤを用いた装飾照明装置において、光源としてのＬＥＤと所定点との間における直進光の一部を所定点で前記直進光とは異なる方向に屈曲させて、直進光、屈曲光をさらに拡散させて、多面的に発光する装飾用に好適な照明装置を実現する。【解決手段】光源ＬＥＤと、この光源ＬＥＤの投射光経路に位置する光路変換機構とを具え、前記光路変換機構は、光源ＬＥＤに対向する第１導光体と前記投射光経路上で前記導光体に隣接する第２導光体とを具え、第１導光体の光源ＬＥＤへ対向する第１端面は前記投射光経路と直交する一方、第２導光体と隣接する第２端面は前記第１端面に対して非平行に形成され、前記第２導光体は断面直角三角形である三角柱で構成され直角三角形の斜辺部端面が第１導光体の前記第２端面に密着し、光源ＬＥＤからの放射光は第２導光体で、直進光とこの直進光と直角をなす側光に変換できる照明装置を提供して上記課題を解決する。【選択図】  図１
0003138664.tif 000002
【実用新案登録請求の範囲】
【請求項１】
光源ＬＥＤと、この光源ＬＥＤの投射光経路に位置する光路変換機構とからなり、前記光路変換機構は、光源ＬＥＤに対向する第１導光体と前記投射光経路にあって前記導光体に隣接する第２導光体とを具え、第１導光体の光源ＬＥＤへ対向する第１端面は前記投射光経路と直交する一方、第２導光体と隣接する第２端面は前記第１端面に対して非平行に形成され、前記第２導光体は断面直角三角形である三角柱で構成され直角三角形のいずれかの辺部端面が第１導光体の前記第２端面に密着又は対向され、光源ＬＥＤからの放射光は第２導光体において、直進光とこの直進光と直角をなす側光に変換するようにしたことを特徴とする照明装置。
【請求項２】
請求項１記載の照明装置において、照明装置は光拡散体を具え、光路変換機構を囲繞する光拡散体により第２導光体からの前記直進光、側光を内側で受光し、外側で拡散投光するようにしたことを特徴とする照明装置。
【請求項３】
請求項１又は２いずれか記載の照明装置において、光源ＬＥＤは基板上に直線状に複数設置し、前記第１導光体は前記複数の光源ＬＥＤに対向設置される断面台形状の柱体で形成し、前記２導光体である三角柱も第１導光体である前記柱体に対応して形成されたものであることを特徴とする照明装置。
【請求項４】
請求項２又は３いずれか記載の照明装置において、前記光拡散体は積層した板状透光体で構成したことを特徴とする照明装置。
【請求項５】
パチンコ、スロットマシーン遊技場における遊戯具の配列端部に設置される各種の合図用代表灯であって、褄板に請求項１ないし４いずれか記載の照明装置を取り付けてなる代表灯。
【請求項６】
請求項５記載の代表灯において、照明装置は褄板の左右一対の端面に取り付けたことを特徴とする代表灯。
【請求項７】
請求項５記載の代表灯において、照明装置は褄板の左右一対の前面隅部に取り付けたことを特徴とする代表灯。
【考案の詳細な説明】
【技術分野】
【０００１】
本願考案は、多数のＬＥＤを使用する照明装置に関し、なお詳しくは、光源からの光を複数方向に変換する機能を有し、ショーウィンドウやパーティールームの壁付けあるいはクリスマス用クリスタルツリー等として装飾用に好適な照明装置に関するものである。
【背景技術】
【０００２】
従来、電飾、イルミネーションその他、装飾用の照明器具に用いる発光具では、一般に白熱電球からなる豆ランプが用いられている。この豆ランプは、耐久性に劣るので頻繁に交換する必要がある。また、高所に配置した看板等に豆ランプを用いた場合、交換が面倒である。そして、豆ランプは消費電力も多い。
【０００３】
そこで、耐久性に優れ、消費電力も少なくてすむ発光ダイオード（以下、ＬＥＤという。）、用いることが考えられる。  発光ダイオードは、電球のフィラメントに相当するものがなく、半導体のｐｎ接合で発光させる。このため、電球とは比較にならない程に寿命が長く、しかも発光効率が高い特徴がある。さらに、発光ダイオードは、発光出力の小さい点光源であるから、多数を文字や図形等の配列に並べることで自由な形状の光源を実現できる。たとえば、多数の発光ダイオードを文字や図形の形状に配列して、ネオンサインに近似する照明を実現できる。発光ダイオードの照明は、ネオンサインのように高電圧を印加しないので、絶縁が簡単で、保守や点検も簡単で、さらに、安全な状態で設置できる特徴がある。
【０００４】
しかしながら、上記のような利点を有するＬＥＤも、光の指向特性が一方向のみによく、拡散性に劣るので、看板等の装飾用照明で光を広く拡散させて多方向に目立たせたい場合には不向きであり、光に拡散性を持たせたい場合は、多数個を密接して使用しなければならないので、高価であり、実用性に乏しいという問題点があった。
【０００５】
なお、本願考案に関連する技術が以下のような文献において開示されている。
【特許文献１】特開２００２−２４５８１９号公報
【特許文献２】特開２００１−２４３８０９号公報
【特許文献３】特開２００１−２９７６０５号公報
【特許文献４】特開２００１−１６７６１８号公報
【特許文献５】特開２００５−１２９４２６号公報
【考案の開示】
【考案が解決しようとする課題】
【０００６】
本願考案は、ＬＥＤを用いた装飾照明装置において、光源としてのＬＥＤと所定点との
間における直進光の一部を所定点で前記直進光とは異なる方向に屈曲させて、直進光、屈曲光をさらに拡散させて、多面的に発光する装飾用に好適な照明装置の実現を目的とするものである。
【課題を解決するための手段】
【０００７】
本願考案は、照明装置を光源ＬＥＤと、この光源ＬＥＤの投射光経路に位置する光路変換機構とからなり、前記光路変換機構は、光源ＬＥＤに対向する第１導光体と前記投射光経路にあって前記導光体に隣接する第２導光体とを具え、第１導光体の光源ＬＥＤへ対向する第１端面は前記投射光経路と直交する一方、第２導光体と隣接する第２端面は前記第１端面に対して非平行に形成され、前記第２導光体は断面直角三角形である三角柱で構成され直角三角形の斜辺部（１辺部に直す？）端面が第１導光体の前記第２端面に密着（対向に直す？）され、光源ＬＥＤからの放射光は第２導光体において、直進光とこの直進光と直角をなす側光に変換するように構成して、上記従来の課題を解決しようとするものである。
【０００８】
また、上記の照明装置において、照明装置は光拡散体を具え、光路変換機構を囲繞する光拡散体により第２導光体からの前記直進光、側光を内側で受光し、外側で拡散投光するように構成することがある。
【０００９】
さらに、上記いずれか記載の照明装置において、光源ＬＥＤは基板上に直線状に複数設置し、前記第１導光体は前記複数の光源ＬＥＤに対向設置される断面台形状の柱体で形成し、前記２導光体である三角柱も第１導光体である前記柱体に対応して形成するように構成することがある。
【００１０】
またさらに、上記いずれか記載の照明装置において、前記光拡散体は積層した板状透光体で構成することがある。
【００１１】
本願考案はまた、パチンコ、スロットマシーン遊技場における代表灯であって、褄板に上記いずれかの照明装置を取り付けてなる代表灯を提供する。
【００１２】
また、上記の代表灯において、照明装置は褄板の左右一対の端面に取り付ける構成となすことがある。
【００１３】
さらに、上記の代表灯において、照明装置は褄板の左右一対の前面隅部に取り付ける構成となすことがある。
【考案の効果】
【００１４】
以上の構成により本願考案にあっては、ＬＥＤを用いた装飾照明装置において、光源
としてのＬＥＤと所定点との間における直進光の一部を所定点で前記直進光とは異なる方向に屈曲させて、直進光、屈曲光をさらに拡散させて、多面的に発光する装飾用に好適な照明装置を実現できる、さらには、パチンコ、スロットマシーン遊技場における代表灯として、この照明装置を利用することにより従来にない明瞭性と照明効果の発揮により目に付き易く、しかもメンテナンスが容易で維持費も低廉な代表灯を実現できる。
【考案を実施するための最良の形態】
【００１５】
照明装置は、光源ＬＥＤと、この光源ＬＥＤの投射光経路に位置する光路変換機構とからなり、前記光路変換機構は、光源ＬＥＤに対向する第１導光体と前記投射光経路にあって前記第１導光体に隣接する第２導光体とを具え、第１導光体の光源ＬＥＤに対向又は密接する第１端面は前記投射光経路と直交する一方、第２導光体と隣接する第２端面は前記第１端面に対して非平行に形成される。  第１および第２導光体は、透明性に優れた樹脂材で形成するのが望ましい。
【００１６】
また、前記第２導光体は断面直角三角形である三角柱で構成し、この直角三角柱のいずれかの辺部端面が第１導光体の前記第２端面に密着又は対向するように構成されるが、直角三角柱のいずれかの辺部端面は直角二等辺三角柱の斜辺部が好ましい。  第１導光体および第２導光体のこのような関連構成により、光源ＬＥＤからの放射光は第２導光体において、直進光とこの直進光と直角をなす側光に変換されることになる。
【００１７】
そして、照明装置の外周部は非透明透光性樹脂による光拡散体が設けられ、前記光路変換機構を囲繞する光拡散体により第２導光体からの前記直進光、側光は光拡散体を通過して拡散される。
【００１８】
そして、光源ＬＥＤは基板上に直線状に複数設置し、前記第１導光体は前記複数の光源ＬＥＤに対向設置される断面台形状の柱体で形成し、前記第２導光体である三角柱も第１導光体である前記柱体に対応して形成され、第１導光体において台形の上底および下底に直交する辺部を光源に対向させ、他の辺部は前記２導光体である直角二等辺三角柱の斜辺部に密着させるのが好ましい。
【００１９】
上記いずれか記載の照明装置において、前記光拡散体は積層した板状の非透明透光性樹脂を積層して構成し、各層はそれぞれ直線状に並んだ光源ＬＥＤのそれぞれに対応させるのが望ましい。
【００２０】
上述の照明装置により、パチンコ、スロットマシーン遊技場において、各種の合図用に使われるいわゆる代表灯を構成することができる。  この代表灯は、褄板に上記の照明装置を取り付けて形成される。  また、照明装置は褄板の左右一対の端面又は、褄板の左右一対の前面隅部に取り付けることになる。
【実施例】
【００２１】
図面に基づいて実施例を説明する。図１は、照明装置の一実施例に係る概略構成図である。  照明装置１は、光源ＬＥＤ２と、この光源ＬＥＤ２の投射光経路に位置する光路変換機構３とを具え、前記光路変換機構３は、光源ＬＥＤ２に対向する第１導光体４と前記投射光経路にあって前記第１導光体４に隣接密着する第２導光体５とを具えている。
【００２２】
そして、第１導光体４の光源ＬＥＤ２へ対向するその第１端面４aは前記投射光経路と直交しており、他方、第２導光体５と隣接密着する第２端面４bは前記第１端面４aに対して非平行に形成されている。
【００２３】
前記第２導光体５は、断面直角三角形である三角柱で構成され直角三角形の斜辺部端面５aが第１導光体４の前記第２端面４bに密着され(間隔をおいて対向していてもよい)、光源ＬＥＤ２からの放射光は第２導光体５において、矢符で示すように直進光Ａとこの直進光と直角をなす側光Ｂ、Ｃに変換されて外方へ放射されることになる。  なお、第１導光体４、第２導光体５に関してはさらに後述する。
【００２４】
図２は、上記照明装置１において、その外周を光拡散体６で囲繞した構成を示している。すなわち、光路変換機構３を光拡散体６により囲繞することで、第２導光体５からの前記直進光Ａ、側光Ｂ，Ｃを内側で受光し、外側での拡散投光を可能にしている。光拡散体６について、さらに後述する。  
【００２５】
図３は、光源ＬＥＤ２と、この光源ＬＥＤ２の投射光経路に位置する前記光路変換機構３の詳細を示す斜視図である。  光源ＬＥＤ２は基板上７に直線状に複数設置され（光源ＬＥＤ２の数は後述のように光拡散体６の構成に対応する）、第１導光体４は前記複数の光源ＬＥＤ２に対向設置される断面台形状の柱体で形成されている。  また、第２導光体５も第１導光体である前記柱体４に対応して断面直角三角形である三角柱で構成されている。
【００２６】
図４は、前記光拡散体６を構成する部材としての板状透光体７の一実施例を示す斜視図である。この部材（板状透光体）７は非透明透光性を有して光拡散性を具備するプラスチック材で形成され、前記光路変換機構３の端部が嵌合する凹部６bを有する本体部６a、本体部６aの外周に光拡散を増幅するための三角形状等を有する多角突起部６cを具えている。
【００２７】
図５は、前記板状透光体７を積層してなる光拡散体６の一実施例を示す斜視図である。板状透光体７は複数段積層されて光拡散体６を構成するが、具体的な積層数は図３に示す光源ＬＥＤ２の数に対応して設定されることになる。  すなわち、各光源ＬＥＤ２に対応して板状透光体７が対応するように積層がなされることになる。  なお、図６は、照明装置１における光拡散体６の外周を囲繞するためのカバーである。  透光材で形成され、光拡散体６からの拡散光をさらに拡散させ、間接照明の効果を奏する。
【００２８】
パチンコ、スロットマシーン等の遊技場において、遊戯具の配列端部に各種の合図用に、いわゆる代表灯と称されるものが設置されている。  すなわち、遊戯具に個別に設置された呼び出しランプの信号スイッチを押した時や、遊技具が複数設置されて構成される配列内でトラブルなどが起きた際に発する信号を受信した際に、その発する色や点滅方法で店員に状況を知らせる多色発光のランプである。
【００２９】
従来の代表灯において使用されていたムギ球ではその発光方向が球体３６０度として問題は無かったが、近年では光源としてＬＥＤが主流となりつつある。しかしながら、LEDを光源とする場合、その発光方向は狭いものでは約２０度の角度になってしまう。この場合、光源としての光束は狭角であるから強く問題はないといえるが、広範囲に知らせる代表灯などでは広範囲の光束あるいは広角での照射光が必要となる。  このため、光源をＬＥＤとすると、多数のＬＥＤを広範囲に配列する必要があり、コスト、消費電量等において問題があった。
【００３０】
上記照明装置をこの代表灯として利用すると、今まで代表灯で知らせる範囲内で必要としていたＬＥＤの数量を大幅に削減でき、かつ明瞭性、装飾性に優れ従来にない効果を得ることができる。  図７は、このような代表灯の実施例を示す平面図である。  図７において、（a）ではは褄板と称される板体8の左右両端部分に前記照明装置１が取り付けられている。照明装置１の取り付け方向は褄板端部方向である。  また、（b）では、照明装置１は褄板８の左右端部においてほぼ４５度の角度をなして取り付けられている。
【図面の簡単な説明】
【００３１】
【図１】照明装置の一実施例に係る概略構成図である。
【図２】図１の照明装置において、その外周を光拡散体で囲繞した例を示す構成図である。
【図３】光源ＬＥＤと、この光源ＬＥＤの投射光経路に位置する光路変換機構の詳細を示す斜視図である。
【図４】前記光拡散体６を構成する部材としての板状透光体７の一実施例を示す斜視図である。
【図５】板状透光体を積層してなる光拡散体の一実施例を示す斜視図である。
【図６】照明装置１における光拡散体６の外周を囲繞するためのカバーを示す斜視図である。
【図７】代表灯の実施例を示す平面図である。
【符号の説明】
【００３２】
１．．．．．．．．．．照明装置
２．．．．．．．．．．光源ＬＥＤ
３．．．．．．．．．．光路変換機構
４．．．．．．．．．．第１導光体
４ａ．．．．．．．．．第１端面
４ｂ．．．．．．．．．第２端面
５．．．．．．．．．．第２導光体
６．．．．．．．．．．光拡散体
【図１】
0003138664.tif 000003
【図２】
0003138664.tif 000004
【図３】
0003138664.tif 000005
【図４】
0003138664.tif 000006
【図５】
0003138664.tif 000007
【図６】
0003138664.tif 000008
【図７】
0003138664.tif 000009